(57)【特許請求の範囲】
【請求項１】
読取位置にセットされた原稿の画像を読み取って用紙に複写する複写機本体と、
複写機本体に取付けられ、複写する原稿を自動的に読取位置へ搬送する自動原稿搬送装置と、
前記自動原稿搬送装置の原稿セット部に備えられ、原稿の有無を検知するセンサと、
複写機本体に取付けられ、複写機本体から排出される画像が複写された用紙を受けるソートトレイおよびノンソートトレイと、
前記ノンソートトレイおよびソートトレイの上流側に設けられ、画像が複写された用紙に所定の後処理を施すための後処理装置とを有する複写機において、
読取位置にマニュアル操作によって原稿がセットされたことを検出する手段と、
前記検出手段の出力に基づいて、画像が複写された用紙を前記後処理装置で後処理する旨が定められているにもかかわらず、複写機本体から排出される用紙を前記後処理装置を経由させずにノンソートトレイへ導く排出制御手段と、を含むことを特徴とする複写機。
【発明の詳細な説明】
【０００１】
【発明の属する技術分野】
本発明は、複写する原稿を自動的に読取位置へ搬送する自動原稿搬送装置、および画像が形成された用紙が仕分けられた状態になるようにするソータ（用紙仕分け機構）が備えられた複写機に関する。
【０００２】
【従来の技術】
自動原稿搬送装置およびソータを備えた複写機は、複数枚の原稿をコピーしたり、複写書類を複数部数得たい場合などに便利なように、その動作モードが設定されている。すなわち、自動原稿搬送装置およびソータを備えた従来の複写機においては、通常、ソータを使用して複写するソートモードが設定されているか、原稿が自動原稿搬送装置にセットされると、ソートモードへ自動的に切り換わるよう設定されていた。
【０００３】
【発明が解決しようとする課題】
このため、従来の複写機において、自動原稿搬送装置に１枚の原稿をセットして、複写を行おうとする場合でも、画像が複写された用紙は仕分けされた状態で排出される。たとえば、複数のトレイからなるソートトレイを有するソータにおいては、ソートトレイは、通常一番上部に位置するノンソートトレイの下方に位置し、そこに排出された用紙の取り出しが面倒であった。
【０００４】
また、自動原稿搬送装置に原稿をセットした状態で、マニュアルで読取位置にセットした場合にも、上記の例では、仕分ける必要のない同じ画像が複写された用紙がソートトレイに排出されるので、用紙の取り出しが面倒であった。
もちろん、複写前に、ソートモードをノンソートモードに切り換えればよいが、操作を忘れることもあり、使い勝手がよくないという課題がある。
このような複写機がさらに後処理装置を備えており、自動原稿搬送装置を用いた複写を行う場合、用紙は後処理装置を経由して排出されるように設定されていた。よって、１枚だけの複写をする場合などは、後処理装置を経由する意味がないのに、そこを通っていたので用紙の搬送経路が長くなり、複写に時間がかかるという問題があった。
【０００５】
そこで、本発明の目的は、用紙の取り出しが容易である複写機を提供することである。
本発明の他の目的は、短時間で複写を行うことができる複写機を提供することである。
【０００６】
【課題を解決するための手段および発明の効果】
上記の課題を解決するための請求項１に記載の発明は、読取位置にセットされた原稿の画像を読み取って用紙に複写する複写機本体と、複写機本体に取付けられ、複写する原稿を自動的に読取位置へ搬送する自動原稿搬送装置と、前記自動原稿搬送装置の原稿セット部に備えられ、原稿の有無を検知するセンサと、複写機本体に取付けられ、複写機本体から排出される画像が複写された用紙を受けるソートトレイおよびノンソートトレイと、前記ノンソートトレイおよびソートトレイの上流側に設けられ、画像が複写された用紙に所定の後処理を施すための後処理装置とを有する複写機において、読取位置にマニュアル操作によって原稿がセットされたことを検出する手段と、前記検出手段の出力に基づいて、画像が複写された用紙を前記後処理装置で後処理する旨が定められているにもかかわらず、複写機本体から排出される用紙を前記後処理装置を経由させずにノンソートトレイへ導く排出制御手段と、を含むことを特徴とする複写機である。
【０００８】
この発明によれば、マニュアル操作によりコンタクトガラス上などの読取位置に原稿がセットされると、原稿搬送装置に原稿がセットされていても、画像が複写された用紙はノンソートトレイへと排出される。したがって、用紙の取り出しが容易である。
【０００９】
この発明によれば、複写機はさらに後処理装置を備えており、上記のような自動原稿搬送装置に原稿が１枚だけセットされた場合、または原稿がマニュアル操作により読取位置にセットされた場合は、画像が複写された用紙は後処理装置を経由することなく排出される。したがって、短時間で複写を行うことができる。
複写機は、読取位置にセットされた原稿の画像を読み取って用紙に複写する複写機本体と、複写機本体に取付けられ、複写する原稿を自動的に読取位置へ搬送する自動原稿搬送装置と、複写機本体に取付けられ、複写機本体から排出される画像が複写された用紙を受けるノンソートトレイおよびこのノンソートトレイの下方に設けられたソートトレイと、前記ノンソートトレイおよびソートトレイの上流側に設けられ、画像が複写された用紙に所定の後処理を施すための後処理装置とを有する複写機において、自動原稿搬送装置にセットされた原稿が１枚であることを検出する手段と、前記検出手段の出力に基づいて、画像が複写された用紙を前記後処理装置で後処理する旨が定められているにもかかわらず、複写機本体から排出される用紙を前記後処理装置を経由させずにノンソートトレイへ導く排出制御手段と、を含んでもよい。
この場合、自動原稿搬送装置に原稿がセットされた際、検出手段により原稿が１枚であることが検出された場合は、ノンソートトレイへ用紙が排出される。よって、排出された用紙を取り出しやすい。
【００１０】
【発明の実施の形態】
以下では、この発明の実施の形態を、添付図面を参照して詳細に説明する。
図１は、本発明の一実施形態に係るデジタル複写機の構造を示す図解的な断面図である。
このデジタル複写機は、原稿の画像を読み取って用紙に複写する本体１、本体１上部に取付けられた自動原稿搬送装置５、および本体１に併設して取付けられ用紙が仕分けられた状態にするソータ２を備えている。各部の動作は、制御部３により制御される。
【００１１】
自動原稿搬送装置５の原稿セット部６には、原稿の有無を検知するためのセンサ７が備えられている。自動原稿搬送装置５における原稿搬送路の途中には、原稿が通過したことを検知するためのセンサ８が備えられている。本体１上部には、コンタクトガラスが設けられており、その上が原稿を配置して読み取る原稿読取位置４となっている。読取位置４の下部には、原稿の有無を検知するためのセンサ９が備えられている。
【００１２】
ソータ２の内部には、用紙を一旦収容し後処理をして排出する後処理装置１０が備えられている。後処理装置１０による後処理としては、たとえば、複数の用紙をホッチキスで留めるステイプル処理、用紙にパンチ孔を形成する穿孔処理などがあげられる。さらに、ソータ２の側方には、ノンソートトレイ１２Ａと、ノンソートトレイ１２Ａの下方に設けられたソートトレイ１２Ｂとが備えられている。
【００１３】
制御部３は、記憶装置を備えている。ソートモードで複写を行う場合、全ての原稿を読み取りその内容を記憶装置に記憶した後、所定のページ順に複写を行い、用紙をソートトレイ１２Ｂへと排出することができる。この場合は、複写後の用紙は、１部ごとにソートトレイ１２Ｂ上の位置がずらされて排出される。ノンソートモードで複写を行う場合は、用紙はノンソートトレイ１２Ａへと排出される。後処理装置１０は、複数の用紙を一時的に収容することができ、これらの用紙に対してステイプル処理等の後処理を施すことができる。
【００１４】
自動原稿搬送装置５において、原稿セット部６に原稿がセットされると、センサ７がオンとなる。原稿の搬送が開始され、原稿搬送路の途中にあるセンサ８が、原稿の通過を検知してオンとなったときに、センサ７が原稿を検知せずオフとなっていれば、原稿が１枚であることがわかる。
図２は、図１に示すデジタル複写機において、後処理装置１０を使用しない場合の制御方法を示すフローチャートである。
【００１５】
まず、自動原稿搬送装置５に原稿がセットされているか否かが判別される（ステップＳ１）。すなわち、センサ７により原稿セット部６に原稿があるか否かが検知される。原稿がセットされていれば、読取部４への原稿の搬送が開始される（ステップＳ２）。続いて、原稿が１枚であるか否かが判別される（ステップＳ３）。原稿が１枚であるならば、用紙がノンソートトレイ１２Ａへ排出されるようにソータ２が制御される（ステップＳ４）。この後、処理は終了する。ステップＳ３で、原稿が１枚でなければ、すなわち２枚以上であれば、用紙がソートトレイ１２Ｂへ排出されるようソータ２が制御される（ステップＳ６）。この後処理は終了する。
【００１６】
ステップＳ１において、自動原稿搬送装置５に原稿がセットされていなければ、次に、マニュアルで原稿がセットされているか否かが判別される（ステップＳ５）。すなわち、センサ９により読取位置４に原稿があるか否かが検知される。原稿がセットされていれば、画像が複写された用紙は、ノンソートトレイ１２Ａへ排出されるようソータ２が制御される（ステップＳ４）。ステップＳ５において、マニュアルで原稿がセットされていなければ、再びステップＳ１へと戻り、自動原稿搬送装置５に原稿がセットされているか否かが判別される。
【００１７】
以上の処理方法によれば、自動原稿搬送装置５を使用した複写で、原稿が１枚である場合は、ノンソートトレイ１２Ａに用紙が排出されるので、取出しが容易である。マニュアルで原稿がセットされたときも、用紙はすべて上方のノンソートトレイ１２Ａに排出されるので、取出しが容易である。
図３は、図１に示すデジタル複写機において、後処理装置１０を使用する場合の制御方法を示すフローチャートである。
【００１８】
まず、自動原稿搬送装置５に原稿がセットされているか否かが判別される（ステップＴ１）。原稿がセットされていれば、読取部４への原稿の搬送が開始される（ステップＴ２）。続いて、原稿が１枚であるか否かが判別される（ステップＴ３）。原稿が１枚であるならば、用紙が後処理装置１０を経由せずにノンソートトレイ１２Ａへと排出されるようにソータ２が制御される（ステップＴ４）。この後、処理は終了する。ステップＴ３で、原稿が１枚でなければ、すなわち２枚以上であれば、用紙が後処理装置１０を経由してソートトレイ１２Ｂへと排出されるようソータ２が制御される（ステップＴ６）。この後処理は終了する。
【００１９】
ステップＴ１において、自動原稿搬送装置５に原稿がセットされていなければ、次に、マニュアルで原稿がセットされているか否かが判別される（ステップＴ５）。原稿がセットされていれば、画像が複写された用紙が後処理装置１０を経由せずにノンソートトレイ１２Ａへと排出されるようソータ２が制御される（ステップＴ４）。ステップＴ５において、マニュアルで原稿がセットされていなければ、再びステップＴ１へと戻り、自動原稿搬送装置５に原稿がセットされているか否かが判別される。
【００２０】
以上の処理方法によれば、自動原稿搬送装置５を使用した複写で、原稿が１枚である場合は、用紙は後処理装置１０を経由せずにノンソートトレイ１２Ａへと排出されるので、短時間に複写を行うことができる。マニュアルで原稿がセットされたときも、後処理装置１０を経由せずにノンソートトレイ１２Ａへと排出されるので、短時間で複写を行うことができる。
以上の実施形態は、１つのソートトレイに画像が複写された用紙を排出するソータを備えたデジタル複写機の場合であるが、用紙が仕分けられて排出される複数のトレイを有するソートトレイを備えたアナログ複写機であってもよい。その他、特許請求の範囲に記載された技術的事項の範囲で種々の設計変更を施すことが可能である。
【図面の簡単な説明】
【図１】本発明の一実施形態に係るデジタル複写機の構造を示す図解的な断面図である。
【図２】図１に示すデジタル複写機において、後処理装置を使用しない場合の制御方法を示すフローチャートである。
【図３】図１に示すデジタル複写機において、後処理装置を使用する場合の制御方法を示すフローチャートである。
【符号の説明】
１    本体
２    ソータ
４    読取位置
５    自動原稿搬送装置
７，８，９    センサ
１０    後処理装置
１２Ａ    ノンソートトレイ
１２Ｂ    ソートトレイ
【図１】
0003876121.tif 000002
【図２】
0003876121.tif 000003
【図３】
0003876121.tif 000004